(57)【要約】【課題】従来は縦長の包丁、しゃもじ、菜箸、オタマなどは、開き扉の裏面にプラスチックの成形品からなる収納手段を取り付け収納したりしていた。しかし、厨房家具の全ての収納スペースを引き出しとすると、可動スペースとなるので、安定して上記の収納物を保管するには適さないことになっていた。【解決手段】引き出し付ベースキャビネットを備えた厨房家具において、深い引き出し５０の平面をなす前板５１の背面に脱着自在な縦形ポケット１を設けるようにした。【選択図】        図１
2004290420.tif 000002
【特許請求の範囲】
【請求項１】
引き出し付ベースキャビネットを備えた厨房家具において、深い引き出しの平面をなす前板の背面に脱着自在なポケットを設けるようにしたことを特徴とする縦形ポケットを備えた厨房家具。
【請求項２】
請求項１記載の縦形収納ポケットを備えた厨房家具において、引き出しの側面に、側板及びガードパイプを備えるようにし、両側のガードパイプに渡架する仕切パイプに縦形ポケットを掛け止めるようにしたことを特徴とするもの。
【請求項３】
縦形ポケットを引き出し収納部の幅員一杯に形成したことを特徴とする請求項１又は請求項２記載の縦形ポケットを備えた厨房家具。
【請求項４】
請求項１、請求項２又は請求項３記載の厨房家具において、ポケットに仕切板を配置するようにしたことを特徴とする縦形ポケットを備えた厨房家具。
【請求項５】
深い引き出しの前面側収納部の深さが３０ｃｍを越えることを特徴とする請求項１乃至請求項４記載の縦形ポケットを備えた厨房家具。
【発明の詳細な説明】
【０００１】
【発明の属する技術分野】
本発明は、厨房家具の中段に設けた深い引き出しの前板背面に脱着自在な縦形ポケットを設けるようにしたものである。
【０００２】
【従来の技術】
従来の厨房家具では、一部について上から下まで引き出しとするものの、天板下方の収納スペースは前面扉を設けることにより広く使えるようにしていた。
しかし、厨房家具の奥行は６５ｃｍ程度あるので、収納スペースの奥は視認し難くしかも、低い姿勢としないと手が入り難いので、収納物の出し入れが面倒で、しかも奥の収納物が隠れがちとなるので使い勝手が悪かった。
そこで、最近では収納物の出し入れなどの取り扱いの便宜に配慮して、厨房家具の天板の下方の収納空間を、複数のキャビネットを並列させ或いは仕切板で分割して、夫々に複数段の引き出しとしている。
厨房家具の収納部には大型の調理器具や背の高い器具などを納めることになるので、下段或いは中段には深い引き出しを配置するようにしている。
【０００３】
一般的には、深いの引き出しの奥には使用頻度の低い調理器具を、中央には頻度のやや低い缶詰、瓶詰などの長期保管の可能な食品を収納し、前板の裏側の手前は少し引くだけですむので、使用頻度の高いものを置くようにするのが使い勝手が良好になるといえる。
【０００４】
最近では、台輪などを床に置くことで、デッドスペースとなっていた蹴込の後ろまで収納部とすべく最も下段の引き出しの前板を下部を凹ませた変形のＺ形とし収納スペースを広げた厨房家具が提供されている。（図４参照）
このような構成の引き出しであれば、引き出しの前板の背面に段部が構成され、ここを収納部とすることができるが、背の高い収納物を整然と置くことはできなかった。
【０００５】
すなわち、従来は縦長の包丁、しゃもじ、菜箸、オタマなどは、開き扉の裏面にプラスチックの成形品からなる収納手段を取り付け収納したり、或いは、有底筒体を、開き扉内の収納スペースにおいて長尺変形のしゃもじ、菜箸、オタマなどを立てて置くようにしていた。
しかし、殆ど全ての収納スペースを引き出しとすると、可動スペースとなるので、安定して上記の収納物を保管するには適さないことになっていた。
【０００６】
【発明が解決しようとする課題】
本発明は、上記従来の課題を解決するためになされたもので、厨房家具の天板の下部の収納部を引き出しを多用したことにより、実質的な収納スペースは広くなったものの、背の高い収納物を整然と使い勝手が良く収納するのに適切ではないことに対応して改善したのである。
【０００７】
【課題を解決するための手段】
上述の課題を解決するため、請求項１の発明の要旨とするのは、引き出し付ベースキャビネットを備えた厨房家具において、深い引き出しの平面をなす前板の背面に脱着自在な縦形ポケットを設けたことを特徴とするものである。
請求項２記載の発明の要旨とするのは、引き出しの側面に、側板及びガードパイプを備えるようにし、両側のガードパイプに渡架する仕切パイプに縦形ポケットを掛け止めるようにしたことを特徴とする。
【０００８】
請求項３の発明の要旨とするのは、縦形ポケットを引き出し収納部の幅員一杯に形成したことを特徴とするものである。
請求項４の発明の要旨とするのは、縦形ポケットに仕切板を配置するようにしたことを特徴とするものである。
請求項５の発明の要旨とするのは、深い引き出しの前面側収納部の深さが３０ｃｍを越えるようにしたものである。
【０００９】
【発明の実施の形態】
以下、本発明の実施の形態を示した図１乃至図４に基づき、本発明の構成についてさらに詳細に説明する。
図１はこの発明に係る厨房家具の縦形収納ポケットの使用状態の要部斜視図であり、図２は縦形ポケットの斜視図、図３は分解斜視図、図４は縦形ポケットの側板の正面図ａ、背面図ｂ、要部断面図ｃである。
本発明に係る縦形収納ポケットを備えた厨房家具は、図５に示すような厨房家具の収納部の殆ど全てが引き出しとした構造の場合に好適であるが、この厨房家具に限定されず、比較的深い引き出しを備えた厨房家具であれば足りる。
また、図５のように蹴込の奥まで収納スペースとした最下段の引き出しとしたものに限定されず、従来一般的な台輪を備えた厨房家具であってもよい。
さらに、縦形ポケットを配置するのは、台輪内を引き出しとするものでは、そのその上部の深い引き出しに縦形収納ポケットを設けるようにする。
いずれにしても引き出し付ベースキャビネットを備えた厨房家具とは、単体ととして流し台、コンロ台及び流し台を天板に設けた複合調理家具、システムキッチンの構成部材として大型の長尺、或いはＬ形の天板を備えた複合調理家具の一構成要素としても良い。
【００１０】
縦形ポケット１を備えた引き出し５０は、前板５１が平面状で高く、深いもので、側面には一対の側板５２、５２及び側板５２、５２上で前板５１と図示しない向板に渡し固定する一乃至複数のガードパイプ５３を備えるようにしたものである。また、両側のガードパイプ１３には内部を前後に分けるための仕切パイプ５４を渡架してある。引き出し５０は手前側の底板よりの収納スペースは少なくとも３０ｃｍを越えることが望ましい。
【００１１】
この仕切パイプ５４を引き出し１０の前板５１の背面に近接して取り付けるようにし、縦形ポケット１を仕切パイプ５４に着脱自在に掛け止めるようにしている。
図示しないが仕切パイプ５４をもう一本中央部分に渡すようにして、引き出し１内を三分するようにすることが好ましい。
【００１２】
縦形ポケット１は、上方を開口した箱形をなし、両側上端より仕切パイプ５４に被さる掛止片２を設けるようにしてなるものである。
この縦形ポケット１は図２乃至図４図に詳細に提示するように、アルミニウム板を溝型に屈曲して前板１１、底板１２、後板１３からなるアルミケース１４を形成し、このアルミケース１４の両側端にプラスチック製の側板１５、１５を嵌め込むようにして構成するものである。
側板１５、１５には片面の三方縁に対峙平行する突条１５ａ、１５ａで凹溝１５ｂを形成し、かつ上端には掛止片２を一体に設けるようにしてある。
突条１５ａには凹溝１５ｂをせばめる突起１５ｃ、１５ｃを設けて、アルミケース１４を嵌めたときに挟み込むようにしてある。（図４ａ乃至図４ｃ）
３は、この縦形ポケット１を左右方向に内部を区画するプラスチック製の仕切板であり、アルミケース１４の内面に内接し、上端にはアルミケース１４の前板１１、後板１３の上端部への挟持片３１を備えるようにしてある。
【００１３】
アルミケース１４と側板１５、１５により縦形ポケット１を構成したのは、取り外し自在とするに引き出し５の幅員が機種により様々で、アルミケース１４を複数用意すれば側板１５、１５を共通にして製作可能だからである。
しかし、縦形ポケット１をプラスチックなどの成形品で一体に製作するようにしてもよい。
【００１４】
図２の縦形ポケット１では、二対のガードパイプ５３、５３の下段のガードパイプ５３に掛止片２を掛ける構成としているが、縦形ポケット１を深くして上段のガードパイプ５３に掛けるようにしてもよい。
また、縦形ポケット１の左右方向の幅を短くして、ガードパイプ５３、仕切パイプ５４及び前板５１で画成される収納スペースが生まれものとしてあるが、仕切パイプ５４と前板５１の間を全て満たす大きさとしてもよい。このように縦形ポケット１を引き出し５０内の収納部の幅員一杯とすれば、引き出し５０内の手前側の有効に使えることになる。
縦形ポケット１の両側が引き出し５０の側板５１に近接して沿うように構成されるのであれば、図示しないが側板５１に掛ける掛止片を縦形収納ポケット１の側板１５に設けるようにしてもよい。
【００１５】
【発明の効果】
この発明は以上のような構成からなるものであり、請求項１に記載の発明では、厨房家具の深い引き出しの背面に着脱自在な縦形ポケットを設けるようにしたので、使用頻度が高かったり、長尺でしかも自立しない、しゃもじ、オタマ、菜箸などを収納して置くのに好適といえる。勿論これらに限らず、キッチンペーパーや包装用ラップを箱ごと立てて収納したりすることもできる。着脱自在としたので、ポケットを取り外して清掃することも容易となる。
【００１６】
請求項２記載の発明では、引き出しの側面に、側板及びガードパイプを備えるようにし、両側のガイドパイプに渡架する仕切パイプにポケットを掛け止めるようにしたもので、引き出しに被掛止部を形成するなど格別の細工を施すことなく縦形ポケットを付設することができる。
【００１７】
請求項３の発明では、縦形ポケットを引き出し収納部の幅員一杯に形成したもので、仕切パイプと引き出しの前板の間を有効に使えることになる。
請求項４の発明では、縦形ポケットに仕切板を配置するようにしたので、収納物が倒れることなく整然としまうことができることになる。
請求項５の発明では、引き出しの前面側収納部の深さが３０ｃｍを越えるタイプのものとするので、背の高い収納物を使い勝手よく収納できることになる。
【図面の簡単な説明】
【図１】この発明に係る厨房家具の縦形収納ポケットの使用状態の斜視図である。
【図２】縦形収納ポケットの斜視図である。
【図３】縦形収納ポケットの分解斜視図である。
【図４】縦形収納ポケットの側面図である。
【図５】従来の厨房家具の斜視図である。
【符号の説明】
１  縦形ポケット
１１  前板
１２  底板
１３  後板
１４  アルミケース
１５  側板
１５ａ  突条
１５ｂ  凹溝
１５ｃ  突起
２  掛止片
５０  引き出し
５１  前板
５２  側板
５３  ガードパイプ
５４  仕切パイプ
【図１】
2004290420.tif 000003
【図２】
2004290420.tif 000004
【図３】
2004290420.tif 000005
【図４】
2004290420.tif 000006
【図５】
2004290420.tif 000007